(57)【特許請求の範囲】
【請求項１】
それぞれに異なる特定のファンクションが与えられている指標を複数表示する表示手段と、
使用者の該表示手段内の視線位置を検出する視線検出手段と、
前記指標には与えられたファンクションの内容によって必要な注視時間が異なるように設定されており、該設定された時間注視したときに対応するファンクションを実行する制御手段とを有する視線検出手段を有する機器。
【請求項２】
前記指標ごとに使用者の注視エリアのサイズを異ならせて設定されていることを特徴とする請求項１記載の視線検出手段を有する機器。
【請求項３】
前記視線検出手段を有する機器は対象物を観察するファインダーを備え、前記表示手段はファインダー視野内に前記指標を表示する表示素子を含むことを特徴とする請求項１または２記載の視線検出手段を有する機器。
【請求項４】
使用者が操作することで前記設定された時間を変更することができる外部操作部材を有することを特徴とする請求項１，２または３記載の視線検出手段を有する機器。
【発明の詳細な説明】
【０００１】
【産業上の利用分野】
本発明は使用者の視線を検出する視線検出装置に関するものである。特に使用者の視線位置に基づいて所定の動作を作動させる視線検出装置を有する機器に関する。
【０００２】
【従来の技術】
従来、この種の視線検出装置には、米国特許第4109145号にあるようなファインダ内における使用者の視線位置を時系列的に検出し、ファインダ内にある複数の指標に対して所定時間以上の視線の停留を検出したら対応する機能の起動を行うものがあった。
【０００３】
また、特表昭63-50349号公報には画面内を複数の領域に分割し、その各々に種々の情報に相当する指標をシンボルまたはテキストで表示を行い、前記領域への所定時間以上の視線の停留を検出した場合に対応する機能の起動を行うことが開示されている。
【０００４】
一方、特開平2-32312号公報には複数の指標の内１つを注視したまま別部材により選択入力を行うことが開示され、特開平3-219218号公報には注視判定エリアを注視判定前は狭く設定し、注視判定後は広く設定することが開示されている。
【０００５】
【発明が解決しようとしている課題】
使用者の視線位置に応じて、所定の動作を作動させる視線検出装置においては使用者の視線位置の停留が所定時間以上継続しなければ、使用者の意志どおりに作動させることができないことがわかっている。
【０００６】
しかしながら、上記従来例では使用者の視線の停留を判別するための所定時間は１種類のみが設定されているだけであるので、該所定時間を短く設定すれば使用者の意図しない視線の変動にまで追従してしまい、該所定時間を長く設定すれば使用者に長時間の視線の停留を要求してしまうので操作性の低下を招いてしまう。
【０００７】
そこで、本発明は使用者の視線の停留を判別するための所定時間を複数種設定すとともに、作動させる所定機能の使用状態もしくは頻度によって、該所定時間を適切に設定することを目的とする。
【０００８】
【課題を解決するための手段】
本発明はそれぞれに異なる特定のファンクションが与えられている指標を複数表示する表示手段と、使用者の該表示手段内の視線位置を検出する視線検出手段と、前記指標には与えられたファンクションの内容によって必要な注視時間が異なるように設定されており、該設定された時間注視したときに対応するファンクションを実行する制御手段とを有することによって、それぞれのファンクションの内容に応じて適切な視線の停留時間を設定することができる。
【０００９】
【実施例】
（第１の実施例）
図１に第１の実施例の全体の構成ブロック図を示す。
【００１０】
図１において、１はシーケンス制御及び演算を行う制御手段としてのシステムコントローラ、２はプログラムやデータを記憶しているＲＯＭ、３はデータを記憶するＲＡＭ、４は被写体の光量を測定する測光回路、５は被写体までの距離を測定する測距回路、６はフィルムへの露光を行うシャッタの駆動回路、７はストロボ回路、８はＸｅ管、９はカメラの作動状態と不作動状態を切り換えるメインスイッチ、１０はフィルムへの露光を指示するレリーズスイッチ、１１はレンズ切り換えスイッチであり焦点距離が長く画角が狭いＴｅｌｅと焦点距離が短く画角が広いＷｉｄｅを切り換えることが可能である。
【００１１】
１２はストロボモード切り換えスイッチであり、被写体輝度が低輝度の時に自動的に発光するＡｕｔｏモードと無条件に発光させる強制発光モード、発光を無条件に行わない発光禁止モード、低輝度時の背景と被写体との輝度バランスを取るスローシンクロモードの４つのモードをスイッチを押すごとに切り換えることが可能である。
【００１２】
１３は画面サイズ切り換えスイッチであり画面枠全体に露光する標準モードと画面の上下を覆ったパノラマモードの２つの画面サイズを切り換えることができる。
【００１３】
１４は日付などのデータをフィルムに写し込みを行う写し込み回路、１５は写し込みブロックであり、１５ａ、１５ｂは透過型液晶であり各々パノラマ画面と標準画面サイズに対応した位置に設置される。１５ｃまたは１５ｄは反射ミラー、１５ｅは写し込みランプである。画面サイズ切り換えに応じて対応した位置に写し込みが行われる。
【００１４】
１６はフィルム、１７は画面サイズ切り換え駆動回路、１８はパノラマ画面選択時に画面の上下を覆う遮光板であり、１８ａは画面上方遮光板、１８ｂは画面下方遮光板である。図中点線で示す位置（１８ｂおよび１８ｄ）は標準画面サイズが選択された時の遮光板１８ａおよび１８ｂの退避状態を示す。遮光板はメカ的にプランジャなどで可動される構成である。
【００１５】
１９はレンズ切り換え駆動回路である。
【００１６】
２０は撮影レンズブロックであり、２０ａは凸レンズ、２０ｂは凹レンズである。Ｗｉｄｅレンズが選択された場合は図中実線で示す位置に凸レンズ２０ａおよび凹レンズ２０ｂが位置する。凹レンズ２０ｂは撮影光路外へ退避する。一方、Ｔｅｌｅレンズが選択された場合は図中点線で示す位置に凸レンズ２０ａおよび凹レンズ２０ｂが撮影光束内に移動し合成焦点距離が長くなる。２０ｃおよび２０ｄはＴｅｌｅ時の各レンズの設置位置である。
【００１７】
２１はレンズブロック２０内に設置されたシャッタであり、シャッタ駆動回路６により駆動される。
【００１８】
２２はファインダ視野下部に設置された透過型液晶表示板である。この透過型液晶表示板には不図示のバックライト照明が設置され暗い時にも表示内容の確認が可能なように構成されている。
２２ａ〜２２ｊは液晶表示セグメントを示す。
２２ａは広角レンズ（Ｗｉｄｅ）セグメント、２２ｂは望遠レンズ（Ｔｅｌｅ）セグメント、２２ｃはストロボＡＵＴＯモードセグメント２２ｄはストロボ強制発光モードセグメント、２２ｅはストロボ発光禁止モードセグメント、２２ｆはストロボスローシンクロモードセグメント、２２ｇはデータ写し込みモードセグメント、２２ｈはデータ写し込み禁止モードセグメント、２２ｉは標準画面セグメント、２２ｊはパノラマ画面セグメントである。
【００１９】
２３はファインダ視野内に設置された透過型液晶、２３ａおよび２３ｂはパノラマ枠表示セグメント、２４は測距枠表示、２５はファインダ内液晶２２の駆動回路、２６はファインダに撮影者が接眼したことを検出する照明用赤外発光ダイオード、２７はその定電流ドライバ、２８は反射光検出用フォトトランジスタ、２９はその検出回路、３０は視線検出用照明用赤外ＬＥＤ（ｉＲＥＤ）、はその定電流ドライバ、３２ａは眼球光軸に対し向かって左側のエリアの眼球上の反射光を検出するフォトダイード、３２ｂは同様に眼球光軸に対し向かって右側のエリアの眼球上の反射光を検出するフォトダイオード、３３、３４は各々のフォトダイオードが検出した光電流を電圧に変換する抵抗、３５、３６は演算増幅器、ここで、各々の演算増幅器の出力をＶＬおよびＶＲとする。
３７は信号選択回路、３８はＡＤコンバータである。
【００２０】
さらに、３９および４０は受光センサ３９および４０に集光する受光レンズ、４１および４２は眼球上の受光検出エリアである。４３は眼球の瞳孔、４４は虹彩、４５は強膜（白目）を示す。
【００２１】
次に図２はカメラの前面上方から見た外観斜視図である。
図１と同一のものには同一符号を付け、説明を省略する。
【００２２】
図３はカメラの後面下方から見た外観斜視図である。
【００２３】
図４はカメラのファインダ接眼部の拡大図である。
図４において、接眼検出用の照明素子２６および検出素子２８は接眼レンズ４６の横方向に位置して設置される。
また視線検出用の眼球照明素子３０および反射光検出用フォトダイオード３２ａおよび３２ｂはファインダ接眼レンズ４６の下方に設置され、やや仰いだ角度で眼球反射光を検出する。
４７はファインダ光軸の水平中心を示す。
【００２４】
図５左右フォトセンサによる眼球上の検出エリア位置を示す図である。
【００２５】
図５において、（ａ）は眼球と検出系を上方から見た図であり、照明ＬＥＤ３０の眼球照明状態と左右のフォトダイオード３２ａおよび３２ｂの検出角度を示す図である。ここで中心軸４８に対し左（Ｌ）、右（Ｒ）は図に示す方向とする。
図５ー（ｂ）は視線が中心にある状態の黒目と左右の検出エリアの位置を示す図。
図５ー（ｃ）は視線が左方向にある状態。
図５ー（ｄ）は視線が右方向にある状態の図である。
【００２６】
次に図６は視角に対する左右フォトダイオードの左右出力差（右出力ー左出力）特性を示す図である。
【００２７】
図７はファインダ光学系の光路図である。
図７において、４９は対物レンズブロック、５０はフィールドレンズ、５１は眼球アイポイントである。対物レンズブロック４９を撮影レンズ部ブロック２０の変倍に応じて光軸方向に動かすことによりファインダ倍率を可変にできる構成になっている。
【００２８】
図８はファインダ内の液晶表示２２および２３の詳細図である。
【００２９】
図９はシステムコントローラ１の動作を説明するためのフローチャートである。以下、図９のフローチャートに基づいてシステムコントローラ１の動作を説明する。
【００３０】
メインスイッチ９がオンされるとシステムコントローラ１はステップ＃１０１より動作を開始する。まず、始めに各機能を初期設定を行う。
【００３１】
（＃１０１）撮影画面を標準画面にセットする。画面切り換え機構の詳細な説明は省略する。
画面の上下を遮光する遮光板１８ａおよび１８ｂをプランジャなどにより撮影光路から退避した位置１８ｃおよび１８ｄに移動させる。
（＃１０２）設定された画面状態をＲＡＭ３内に記憶する。なおＲＡＭ３内に記憶されるデータのアドレスラベルとそれに対応するデータ内容は表１に示す通りである。
（＃１０３）ストロボ発光モードをＡＵＴＯモードに設定する。
（＃１０４）撮影レンズを広角レンズにセットする。レンズ切り換えドライバにより凸レンズを２０ａ、凹レンズを２０ｂの位置に移動することにより撮影倍率が低い状態に設定される。
（＃１０５）設定された撮影レンズの状態をＲＡＭ３に記憶する。
（＃１０６）データ写し込み禁止モードの状態に設定しＲＡＭ３に記憶する。
次に、以上の初期設定に対してファインダ内の表示を対応する内容の表示とする。
（＃１０７）広角レンズセグメント２２ａ、ストロボＡＵＴＯモードセグメント２２ｃ、データ写し込み禁止モードセグメント２２ｈの各セグメントを点灯させる。
（＃１０８）ストロボ強制発光モードセグメント２２ｄ、同発光禁止モードセグメント２２ｅ、同スローシンクロモードセグメント２２ｆ、データ写し込みモードセグメント２２ｇ，望遠レンズセグメント２２ｂ、標準画面セグメント２２ｉを消灯させる。
（＃１０９）パノラマ画面枠表示２３ａおよび２３ｂを消灯させる。
【００３２】
以上の点灯、点滅、消灯制御が行われた場合のファインダ内表示を図１０に示す。
（＃１１０）接眼検出用のＩＲＥＤ２６を点灯させる。
（＃１１１）反射光検出用フォトトランジスタ２８の受光量を判別する。所定量以上の反射光量が検出されれば撮影者がファインダに接眼したと判別し＃１１２に進む。反射光がなければ＃１３２へ進む。
（＃１１２）視線検出を行うための眼球照明赤外発光ダイオード（以下ＩＲＥＤ）３０を点灯させる。
（＃１１３）フォトダイオード３２ａおよび３２ｂの出力を検出し各々の出力差電圧値を視線検出出力（ＶEye）として算出する。
【００３３】
フォトダイオード３２ａおよび３２ｂの出力をシステムコントローラ１で検出する動作の詳細は次の通りである。
フォトダイオード３２ａおよび３２ｂが検出した光電流は各々抵抗３３および３４により電流／電圧変換され信号選択回路３７により左右２つのうち１つを選択する。選択された信号はＡＤコンバータ３８に入力され所定の分解能で量子化されシステムコントローラ１に入力される。
【００３４】
また、眼球は照明用ＩＲＥＤ３０だけでなく周囲光により同時に照明されているため外光成分の除去が必要である。本実施例では、フォトダイオードの受光面に可視光カットフィルタをかぶせるといった光学的外光除去と共に照明ＩＲＥＤ３０を所定周波数で変調点灯させフォトダイオード出力検出系にハイパスフィルタ特性を持たせている。
【００３５】
ここで、左右のフォトセンサによる眼球上の反射光量変化により眼球の注視点を求める方法について簡単に説明する。
撮影者がカメラを構えて、接眼した位置がファインダ光学系光軸と水平方向の位置ずれがゼロの状態では図５に示す通り視線検出系の光軸４０と眼球光軸が合致している。この時、視線位置が中央にある状態での眼球上における検出エリア位置を図５ーｂに示す。図５ーｂにおいて４１は左フォトダイオード３２ａの検出エリア、４２は右フォトダイオード３２ｂの検出エリアを示す。
【００３６】
次に、視線位置が左にある場合について図５ーｃに示す。左方向に視線がある場合、左検出エリア４１内における眼球の瞳孔部４３と光彩部４４の占める面積が増加する。瞳孔４３は照明光は反射せずに眼球内部に光が吸収される。同時に光彩部４４は強膜部４５に対して反射率が低いために結果として左フォトダイオード３２ａの受光量は低下する。逆に右側の受光エリア内４２に占める強膜部４５の割合が増加するので受光光量は増加する。よって左右のフォトセンサの差出力を検出することにより視角を検出する構成である。また、その反対に右方向に視線がある場合を図５ーｄに示す。
【００３７】
ここで、図５ーａに示すようにフォトダイオードの検出の指向特性は不図示の受光レンズや絞りマスク（不図示）などにより眼球上において限定されたスポット上の検出エリアを形成するように構成されている。
眼球光軸と検出系光軸の水平ずれがない状態では図５ーｂに示すように左右センサの検出エリアにおける白目と黒目が占める割合は等しいために左右センサの出力差（ＶＲ−ＶＬ）はゼロと算出される。ここで黒目とは図５ーｂに示す瞳孔部３６と虹彩部３７を示すものとする。
【００３８】
（＃１１４）視線検出出力（ＶEye）の値を判別する。
Ｖ22a.max＞ＶEye＞Ｖ22a.minまたはＶ22b.max＞ＶEye＞Ｖ22b.minと判別されれば、＃１１５へ進む。
Ｖ22i(j).max＞ＶEye＞Ｖ22i(j).maxと判別されれば、＃１２１へ進む。
Ｖ22g(h).max＞ＶEye＞Ｖ22g(h).maxと判別されれば、＃１２７へ進む。
（＃１１５）注視時間を判別する。注視時間が第１の所定時間ｔ１を経過していれば、＃１１６へｔ１以下なら＃１１１へ戻る。
（＃１２１）注視時間を判別する。注視時間が第２の所定時間ｔ２を経過していれば、＃１２２へｔ２以下なら＃１１１へ戻る。
（＃１２７）注視時間を判別する。注視時間が第３の所定時間ｔ３を経過していれば、＃１２８へｔ３以下なら＃１１１へ戻る。
【００３９】
ここで視線出力（ＶEye）とファインダー視野範囲の対応について図６により説明する。
眼球光軸と検出系光軸の水平方向のずれ量がゼロと仮定すると左右フォトダイオードの差出力（ＶＲ-ＶＬ）とファインダ内における視角の対応を示す特性は図６の太線で示す通りである。
【００４０】
つまり左右フォトダイオードの差（ＶＲ−ＶＬ）出力がファインダー水平方向の視線位置と１対１で対応しており、この差分を検出することにより撮影者がファインダ内における注視部の水平成分が検出できる。
【００４１】
ここで、ファインダ内に設置された透過ＬＣＤ２３のファインダ光学系内における水平方向の可視範囲は図６に矢印で示す範囲である。またファインダ視野外ＬＣＤ２２上の各指標セグメント２２ａから２２ｊの設定位置は以下のように、検出された左右フォトダイオード出力ＶＬと右フォトダイオード出力ＶＲとの差の出力値（ＶEye）の範囲に対応する。
【００４２】
広角レンズ指標22aはＶ22a.maxからＶ22a.minの出力値範囲（注視エリア）、望遠レンズ指標22bはＶ22b.maxからＶ22b.minの出力値範囲（注視エリア）、ストロボＡＵＴＯモード指標22cはＶ22c.maxからＶ22c.minの出力値範囲（注視エリア）、同強制発光モード指標22dはＶ22d.maxからＶ22d.minの出力値範囲（注視エリア）、同発光禁止モード指標22eはＶ22e.maxからＶ22e.minの出力値範囲（注視エリア）、同スローシンクロモード指標22fはＶ22f.maxからＶ22f.minの出力値範囲（注視エリア）、データ写し込み有無指標22gまたは22hはＶ22g(h).maxからＶ22g(h).minの出力値範囲（注視エリア）にそれぞれ設定されている。撮影画面指標22iまたは22jはＶ22i(j).maxからＶ22i(j).minの出力値範囲（注視エリア）、検出された左右フォトダイオード出力ＶＬと右フォトダイオード出力ＶＲとの差の出力値（ＶEye）が上記の所定範囲内にあると判別されると＃１１５または＃１２１、＃１２７でその状態が所定時間（ｔ１、ｔ２またはｔ３）以上継続しているかが判別される。
【００４３】
ここで各々の指標が対応する所定時間以上注視されていると判別された場合に付いて説明する。まず画角切り換え指標２２ａまたは２２ｂが注視されたと判別された場合については、（＃１１６）現在のレンズの設定状態を判別する。Ｗｉｄｅレンズに設定されていれば（ＬＥＮＳＴＹ＝０の時）、＃１１７でレンズをＴｅｌｅ位置に移動し、＃１１８でＷｉｄｅレンズセグメント２２ａを消灯し、Ｔｅｌｅレンズセグメント２２ｂを点灯し＃１１１へ戻る。ファインダ内表示を図１１に示す。
【００４４】
一方、Ｔｅｌｅレンズに設定されていれば（ＬＥＮＳＴＹ＝１の時）＃１１９でレンズをＷｉｄｅ位置にセットし＃１２０でＷｉｄｅレンズセグメント２２ａを点灯し、Ｔｅｌｅレンズセグメント２２ｂを消灯し＃１１１へ戻る。
【００４５】
次に画面切り換えセグメント２２ｉを注視したと判別された場合に付いて説明する。
（＃１２２）現在の設定画面を判別する。標準画面（ＡＰＡＳＥＴ＝０）と判別されれば＃１２３へ進み、パノラマ画面（ＡＰＡＳＥＴ＝１）と判別されれば＃１２５へ進む。
（＃１２３）パノラマ画面サイズにセットしその後＃１２４でパノラマ画面セグメント２２ｈとファインダ視野内パノラマ画面枠２３ａまたは２３ｂを点灯する。ファインダ内表示を図１２に示す。
（＃１２５）標準画面にセットしその後＃１２６でパノラマ画面セグメント２２ｈとファインダ視野内パノラマ画面枠２３ａまたは２３ｂを消灯する。
【００４６】
次にデータ写し込み有無セグメント２２ｇまたは２２ｈが注視された場合について説明する。
（＃１２８）ＲＡＭ３ないに記憶されたＤＡＴＴＥＮを反転する。
（＃１２９）データ写し込み有無設定フラグの状態を判別する。
状態が１（＝写し込み有り）で有れば＃１３１へ、状態が０（＝写し込み無し）であれば＃１３０へ進む。
（＃１３０）データ写し込み有りセグメント２２ｇを消灯し、データ写し込み禁止セグメント２２ｈを点灯させる。ファインダ内の液晶表示内容を図１５に示す。その後＃１１１へ戻る。
（＃１３１）データ写し込み有りセグメント２２ｇを点灯し、データ写し込み禁止セグメント２２ｈを消灯させる。ファインダ内の液晶表示内容を図１３に示す。その後＃１１１へ戻る。
【００４７】
一方、＃１１１で反射光が所定レベル以下であった場合について説明する。
（＃３２２）視線検出用ＩＲＥＤ３０を消灯する。
（＃１３３）メインスイッチ９の状態を判別する。オン状態で有れば＃１１１へ戻り、オフで有れば＃１３４で接眼検出用ＩＲＥＤ２６を消灯し処理を終了する。
また、＃１１４において視線検出出力（ＶEye）が上記＃１１５へ進む条件以外と検出された場合は＃１３５へ進む。
（＃１３５）レリーズスイッチ１０の状態を判別する。押されていれば＃１３６へ、押されていなければ＃１１３へ戻り再び左右のフォトダイオード出力を検出し、左右差の出力値による視線検出出力（ＶEye）の判別を行う。
（＃１３６）測光回路４により測光を行う。
（＃１３７）測距回路５により被写体までの距離を測定する。
（＃１３８）＃１３６で測定した被写体輝度とカメラに装填されているフィルム１６の感度により決定される秒時分シャッタ２１を開放しフィルムへの露光を開始する。
（＃１３９）ＲＡＭ３で記憶されている、ストロボ発光モード（ＦＬＭＯＤＥ）を判別する。１０であれば発光禁止モードと判別し＃１４２へ進む。０１であれば強制発光モードと判別し、１１であればスローシンクロモードと判別し＃１３１でストロボを発光させる。一方、ＦＬＭＯＤＥが００であればＡＵＴＯモードと判別し＃１３６で測定した被写体輝度値を判別し所定輝度値（Ｅｖ．）以上なら＃１４２へ、所定輝度値（Ｅｖ．）以上で有れば＃１４１へ進みストロボを発光させる。
（＃１４２）シャッタ２１を閉じフィルム１６への露光を終了させる。
（＃１４３）ＲＡＭ３内に記憶されているデータ写し込みモード（ＤＡＴＥＥＮ）を判別する。０であれば＃１４５へ、１であれば＃１４４へ進み、データ写し込みを行う。
（＃１４５）不図示のフィルム給送回路により所定量フィルムの給送を行う。
フィルム給送後は＃１１３へ戻り、再度撮影者の視線検出を行う。
【００４８】
本実施例ではレンズ画角切り換え、画面サイズ切り換え、データ写し込み有無切り換えのそれぞれのファンクションをそれぞれのファンクションに対応する指標への注視によって実行するもので、ファンクションの内容によって必要な注視時間が異なるように設定されている。
【００４９】
以上説明した中で、注視時間（視線の停留時間）を判別する第１、第２および第３の所定時間をｔ１＜ｔ２＜ｔ３に設定すれば第１のファンクションであるレンズ画角切り換え、第２のファンクションである画面サイズ切り換え、第３のファンクションであるデータ写し込み有無切り換えの順で長い注視時間が必要となる。
【００５０】
本実施例では、接眼検出用ＩＲＥＤ２６の発する光が視線検出用フォトダイオード３２ａおよび３２ｂの受光検出エリア内に入り視線検出に影響しないようにするために、接眼検出用ＩＲＥＤ２６および、視線検出用フォトダイオード３２ａおよび３２ｂについて電気的に時分割処理を行うか、または何らかの光学的手段を設ける必要がある。
【００５１】
同時に、本実施例では水平方向の出力結果のみにより指標の注視検出を行っているが、同様の方法にて垂直方向の視線の移動についても検出が可能であるから、この場合にはファインダ視野内と視野外を区別することもできる。
【００５２】
さらには、視角に対して左右のフォトダイオードの受光量変化割合が個人差により異なる場合には、事前にファインダ内の複数の所定ポイントを注視しその時の視角出力を記憶し記憶された視角補正データにより補正を行う補正機能を持たせることにより容易に補正可能である。
【００５３】
以上の実施例が撮影者の視線を眼球の反射光量変化をフォトセンサで検出する構成であったが、例えば特開平２ー２４１５１１号公報に開示されている眼球を赤外光で照明するとともに、照明された眼球をＣＣＤなどの撮像素子により撮像することにより眼球の注視位置の検出を行う視線検出手段を用いたとしても本実施例と同様の効果が得られる。
【００５４】
（第２の実施例）
第１の実施例が複数のファンクションに対応するそれぞれの指標に対する注視時間がそれぞれ異なる構成であったものに対して、本実施例はそれぞれのファンクションに対応する出力値範囲（注視エリア）のサイズを異ならせる構成とした。
【００５５】
図１４にファインダ内表示図を示す。
図１４において、５２はファインダ視野外に設置された透過型ＬＣＤ表示である。
第１の実施例に対してＷｉｄｅレンズ画角設定指標５２ａ、Ｔｅｌｅレンズ画角設定指標５２ｂ、画面サイズ切り換え指標５２ｉまたは５２ｊの指標サイズを大きく表示する構成である。
【００５６】
図１５にファインダ視野外のＬＣＤ表示５２の各指標位置と水平方向の視線検出出力との関係を示す。
広角レンズ指標52aはＶ52a.maxからＶ52a.minの出力値範囲（注視エリア）、望遠レンズ指標52bはＶ52b.maxからＶ52b.minの出力値範囲（注視エリア）、ストロボＡＵＴＯモード指標52cはＶ52c.maxからＶ52c.minの出力値範囲（注視エリア）、同強制発光モード指標52dはＶ52d.maxからＶ52d.minの出力値範囲（注視エリア）、同発光禁止モード指標52eはＶ52e.maxからＶ52e.minの出力値範囲（注視エリア）、同スローシンクロモード指標52fはＶ52f.maxからＶ52f.minの出力値範囲（注視エリア）、データ写し込み有無指標52gまたは52hはＶ52g(h).maxからＶ52g(h).minの出力値範囲（注視エリア）、撮影画面指標52iまたは52jはＶ52i(j).maxからＶ52i(j).minの出力値範囲（注視エリア）に相当する。
つまりＷｉｄｅレンズ指標５２ａに相当する出力範囲、Ｔｅｌｅレンズ指標５２ｂに相当する出力値範囲（注視エリア）、画面サイズ切り換え指標５２iおよび５２jに相当する出力値範囲（注視エリア）が他の出力値範囲（注視エリア）に対して広く設定される。
【００５７】
図１６に動作フローチャートを示す。
＃２０１〜＃２１３の動作は第１の実施例と同様であるので説明は省略する。
（＃２１４）視線検出出力（ＶEye）の値を判別する。Ｖ52a.max＞ＶEye＞Ｖ52a.minまたはＶ52b.max＞ＶEye＞Ｖ52b.minと判別されれば＃２１５へ進む。
Ｖ52i(j).max＞ＶEye＞Ｖ52i(j).maxと判別されれば＃２２１へ進む。
Ｖ52g(h).max＞ＶEye＞Ｖ52g(h).maxと判別されれば＃２２７へ進む。
＃２１５、＃２２１、＃２２７で注視時間が所定時間以上であるかどうか判別する。以降の動作については第１の実施例と同様であるので説明は省略する。
【００５８】
以上のように撮影に際して使用頻度が高いファンクション（本実施例ではレンズ画角切り換えや画面サイズ切り換え）に対応する出力値範囲（注視エリア）を広く設定し、一方、データ写し込み切り換えやストロボモード切り換えなどの頻繁に切り換えることのないファンクションに対応する出力範囲を狭く設定することにより、誤作動を防止でき、より使用実態に合った使いやすいカメラを提供することができる。
【００５９】
（第３の実施例）
第３の実施例はそれぞれのファンクションに対応する指標への注視時間をそれぞれ異ならせる構成と、それぞれのファンクションと対応する出力値範囲（注視エリア）（注視エリア）の大きさを異ならせる構成を組み合わせた構成を示す。
【００６０】
図１７に動作フローチャートを示す。
第２の実施例に対して＃２１５、＃２２１、＃２２７で各々異なる注視時間が経過したかを判別する様に構成されている。
【００６１】
以上のように、カメラの複数の所定ファンクションに対して夫々注視の対象となるエリアの大きさと注視と判別する注視時間を設定する構成とすることにより、一層、誤動作が起こりにくくすることができ、かつすばやい応答が必要なファンクションに対しては短い注視によりファンクションを実行することが可能となる。
【００６２】
本実施例では頻繁に使うファンクションに対しては注視エリアを大きくかつ注視時間を短く設定し、反対に使用頻度が低いファンクションに対しては注視判別エリアを狭く、かつ注視判別時間を長く設定する構成した。
【００６３】
本実施例は例えば視線の注視によりシャッタのレリーズの起動を行う場合など誤動作の確率を最小にし、かつ注視からレリーズ起動までの時間を短く設定したい場合などは注視エリアを狭くかつ注視時間を短く設定することにより当初の目的を達成することが可能となる。
【００６４】
（第４の実施例）
指標の位置により所定ファンクションを実行させるために必要な指標に対する注視時間が異なる構成および注視時間を使用者が外部操作より設定可能な構成に関して説明する。
図１８にその全体構成図を示す。
図１８はファインダ内と一部ファインダ外に透過表示される透過型液晶である。各々の表示セグメント５２ａ〜５２ｊは第１の実施例の表示セグメント２２ａ〜２２ｊに相当する。ここで広角レンズ（Ｗｉｄｅ）セグメント５２ａおよび望遠レンズ（Ｔｅｌｅ）セグメント５２ｂはファインダ視野５３の外、他のセグメントはファインダ視野５３と重なる位置に設置されファインダ内の撮影視野とスーパーインポーズ表示されるように構成される。
また、５４は指標に対する注視時間（注視と判別する注視時間）を外部より選択する注視時間切り換えスイッチである。
【００６５】
図１９に視角に対する左右フォトダイオードの左右出力差（右出力−左出力）特性を示す。
視角に対するファインダ視野幅は図中に示す通りである。
上記の構成でファインダ視野内の指標に対する注視時間をファインダ視野外に存在する指標より長く設定する。
使用者の視線が撮影視野内にあるときにはを通常被写体を確認するためであるから、注視時間を長く設定して誤検出を防止する構成になっている。一方、使用者の視線が撮影視野外にあるときにはズーミングやデータ写し込みの設定などのファンクションを作動させるためであるから、注視時間を短く設定して所望のファンクションがすばやく反応する構成になっている。
つまり、ファインダ内の撮影視野と指標との位置により注視時間を異ならせることにより、対応するファンクションが適切に作動させることが可能となる。
【００６６】
また、指標の注視時間は検出時間切り換えスイッチ５４により予め設定された注視時間より適切な注視時間を選択可能な構成とすれば、使用者は自らの眼球運動の特性にあった注視時間を簡単に設定することができる。
【００６７】
本実施例では、選択できる注視時間を２種類設定したが、３種類以上であってもかまわない。さらに、注視時間を連続的に変化できる構成であっても良い。また、注視時間の設定は全ての指標に対して一度に注視時間を切り換える構成であっても良いし、各々の指標に対して別個に注視時間を外部より設定可能な構成であっても良い。
【００６８】
なお本発明でいうファンクションとは機構を動かすような機械的な動作をともなう機能であっても、信号の入出力などの電気的な動作も含むものである。
【００６９】
【表１】
0003542410.tif 000002
【００７０】
【発明の効果】
以上説明したように、本発明はそれぞれに異なる特定のファンクションが与えられている指標を複数表示する表示手段と、使用者の該表示手段内の視線位置を検出する視線検出手段と、前記指標には与えられたファンクションの内容によって必要な注視時間が異なるように設定されており、該設定された時間注視したときに対応するファンクションを実行する制御手段とを有することによって、それぞれのファンクションの内容に応じて適切な視線の停留時間を設定することができ、使用者の意志に正確に反応する視線検出手段を有する機器を提供することができる。
【００７１】
また、指標ごとに使用者の注視エリアのサイズを異ならせることで、それぞれのファンクションに応じて適切な指標の注視エリアの大きさにすることができ、視線検出手段を有する機器の使用感を向上させる。例えば、即座に作動することが望ましいファンクションは指標の注視エリアの大きさを大きくして視線が停留しやすくするとともに、誤作動による影響の大きいファンクションは指標の注視エリアを小さくして、誤作動を防止する。
【００７２】
さらに、前記視線の停留時間は使用者が任意に設定することができるため、眼球運動の個人差を吸収することができ、それぞれの使用者に最適な状態に設定することができる。
【図面の簡単な説明】
【図１】第１の実施例を説明する全体構成図
【図２】第１の実施例のカメラの前面斜視図
【図３】第１の実施例のカメラの後面斜視図
【図４】ファインダ接眼レンズ周辺の投光および受光手段配置図
【図５】視線検出系と眼球を説明する図
【図６】視線検出出力特性を説明する図
【図７】ファインダ光路図
【図８】ファインダ内表示を説明する図
【図９】第１の実施例の視線検出出力特性図
【図１０】第１の実施例のファインダ内表示を説明する図
【図１１】第１の実施例のファインダ内表示を説明する図
【図１２】第１の実施例のファインダ内表示を説明する図
【図１３】第１の実施例のファインダ内表示を説明する図
【図１４】第２の実施例のファインダ内表示図
【図１５】第２の実施例の視線検出出力特性図
【図１６】第２の実施例の動作フローチャート
【図１７】第３の実施例の動作フローチャート
【図１８】第４の実施例のファインダ内表示図
【図１９】第４の実施例の視線検出出力特性図
【符号の説明】
１  システムコントローラ
２  ＲＯＭ
３  ＲＡＭ
４  測光回路
５  測距回路
６  シャッタ
７  ストロボ回路
９  メインスイッチ
１０  レリーズスイッチ
２２  ファインダ視野外透過ＬＣＤ
２３  ファインダ内透過ＬＣＤ
２４  ＬＣＤドライバ
２６  接眼検出照明ｉＲＥＤ
２８  フォトトランジスタ
３０  視線検出照明ｉＲＥＤ
３２ａ  左検出フォトダイオード
３２ｂ  右検出フォトダイオード
３７  信号選択回路
３８  ＡＤコンバータ
４１  左フォトダイオード検出エリア
４２  右フォトダイオード検出エリア
【図１】
0003542410.tif 000003
【図２】
0003542410.tif 000004
【図３】
0003542410.tif 000005
【図４】
0003542410.tif 000006
【図５】
0003542410.tif 000007
【図６】
0003542410.tif 000008
【図７】
0003542410.tif 000009
【図８】
0003542410.tif 000010
【図９】
0003542410.tif 000011
【図１０】
0003542410.tif 000012
【図１１】
0003542410.tif 000013
【図１２】
0003542410.tif 000014
【図１３】
0003542410.tif 000015
【図１４】
0003542410.tif 000016
【図１５】
0003542410.tif 000017
【図１６】
0003542410.tif 000018
【図１７】
0003542410.tif 000019
【図１８】
0003542410.tif 000020
【図１９】
0003542410.tif 000021